(57)【要約】【課題】様々なタイプのテープカッターへの定規の取り付けを可能とするテープカッターへの定規取り付け具を提供する。【解決手段】所定の長さを引き出し可能なスライド型定規４と、スライド型定規４が取り付けられた板状の内カバー２と、内カバー２が挿入され、テープカッターに接する左カバー１と、左カバー１とは反対側からテープカッターに接する右カバー３と、左カバー１と右カバー３のそれぞれに設けられた前穴及び後穴に取り付けられる２つの紐１３と、を備える。２つの紐１３は面ファスナーで構成され、２つの紐１３の左カバー１と右カバー３とを結ぶ長さを調整可能である。左カバー１と右カバー３に、一時留め用の面ファスナー９が設けられている。【選択図】図１
2014114160.tif 000002
【特許請求の範囲】
【請求項１】
所定の長さを引き出し可能なスライド型定規と、
前記スライド型定規が取り付けられた板状の内カバーと、
前記内カバーが挿入され、前記テープカッターに接する左カバーと、
前記左カバーとは反対側から前記テープカッターに接する右カバーと、
前記左カバーと前記右カバーのそれぞれに設けられた前穴及び後穴に取り付けられる２つの紐と、を備える
ことを特徴とするテープカッターへの定規取り付け具。
【請求項２】
前記２つの紐は面ファスナーで構成され、前記２つの紐の前記左カバーと前記右カバーとを結ぶ長さを調整可能である
ことを特徴とする請求項１に記載のテープカッターへの定規取り付け具。
【請求項３】
前記左カバーと前記第右カバーの少なくとも一方に、一時留め用の面ファスナーが設けられた
ことを特徴とする請求項１又は２に記載のテープカッターへの定規取り付け具。
【発明の詳細な説明】
【技術分野】
【０００１】  この発明は市販されている一般的なテープカッターを挟むことが出来て、スライド定規に合わせてテープカッターに装着されているテープを任意の寸法に引き出す場合に使用されるテープカッターへの定規取り付け具に関するものである。
【背景技術】
【０００２】  従来は、粘着テープカッターから感に頼りセロファンテープや粘着テープを引き出しており、長すぎると目的物に貼った場合には食み出し、短すぎると継ぎ足すことになり不都合な点があった。また従来のセロファンテープ長さ調整具としては、例えば特開２００９−１６１３４８号公報（特許文献１）に示すものがある。この粘着テープ長さ調整具はテープカッター本体の基底部に、正面に開口部を設けた長尺状の収納部を設ける。長尺の平定規を開口部より出し入れ自在に収納部へスライドさせて収納するものである。【０００３】  粘着テープカッターの内部に粘着テープ長さ調整具を内蔵して使用するので視力が弱い児童生徒や発達段階が低い幼稚園児や児童は粘着テープ長さ調整具のセロファンテープから目盛りまでに距離があり、テープを切断するときに誤差が生じる。更にカバーではないのでどんなテープカッターにも装着できるというものではない。【０００４】  特許文献１に示したもの以外にも、特開２００７−２３８３１９号公報（特許文献２）がある。この粘着テープ長さ調整具は粘着テープカッターを置くことが出来て、スケールに合わせて粘着テープを任意の寸法に容易に引き出すことが出来て且つ、安全な作業が出来る簡便で安価なスケール付き粘着テープカッター置き具である。【０００５】  粘着テープカッターを置くことが出来るマット表面の長方形状の後部スペースに厚みを有する縁部を形成すると共に、マットの粘着テープの引き出し方向にスケールを印刷したことを特徴とするので、特許文献１に示したものよりもセロファンテープから目盛りまでに距離があり、テープを切断するときに誤差が生じる。更にカバーではないので重量がありマット面積が広く、携帯に不便である。この様な欠点が解決されていないのが現状である。【０００６】  先に示した以外にも実用新案登録第３０８６８１９号公報（特許文献３）がある。この接着テープ寸法切り装置はテープカッターの切刃取付部に着脱可能に設置される本体部と前期本体部にスライド可能に保持される目盛り付きスケールを備えるセロファンテープを所望の長さにカット可能な接着テープ寸法きり装置である。【０００７】  テープカッターの切刃取付部に着脱可能に設置される本体部は、切刃取付部の大小により取り付けたときに安定しない場合が生じ、幼稚園児、低学年の児童が作業した場合粘着テープを任意の寸法に容易に引き出すことが出来にくく、更に前期本体部にスライド可能に保持される目盛り付きスケールは本体部より外側に出ているため幼稚園児、低学年の児童が作業時に本体又はスケールに手が触れた場合本体は固定していないため簡単に装置にずれが生じる。この様な欠点が解決されていないのが現状である。
【先行技術文献】
【特許文献】
【特許文献１】特開２００９−１６１３４８号公報
【特許文献２】特開２００７−２３８３１９号公報
【特許文献３】実用新案登録第３０８６８１９号公報
【発明の概要】
【発明が解決しようとする課題】
【０００８】  従来は、市販されている一般的な粘着テープカッターから感に頼り粘着テープを引き出しており、目的物に貼った場合には長すぎるとはみ出し、短すぎると継ぎ足すことになり不都合な点があった。特許文献１に示すものがある。この粘着テープ長さ調整具はテープカッター本体の基底部に、正面に開口部を設けた長尺状の収納部を設ける。長尺の平定規を開口部より出し入れ自在に収納部へスライドさせて収納するものである。
粘着テープカッターの内部に粘着テープ長さ調整具を内蔵して使用するので視力が弱い児童生徒や発達段階の低い幼稚園児、保育園児、低学年児童は粘着テープ長さ調整具のセロファンテープから目盛りまでに距離があり、テープを切断するときに誤差が生じる。更にカバーではないので市販されている一般的なテープカッターに装着できるというものではない。【０００９】  特許文献２がある。この粘着テープ長さ調整具は粘着テープカッターを置くことが出来て、スケールに合わせて粘着テープを任意の寸法に容易に引き出すことが出来て且つ、安全な作業が出来る簡便で安価なスケール付き粘着テープカッター置き具である。粘着テープカッターを置くことが出来るマット表面の長方形状の後部スペースに厚みを有する縁部を形成すると共に、マットの粘着テープの引き出し方向にスケールを印刷したことを特徴とするので、切断するセロファンテープから目盛りまでに距離があり、テープを切断するときに誤差が生じる。更に重量やマット面積が広く、携帯に不便で恒に装着状態であると邪魔になる。それが解決に至っていないのが現状である。【００１０】  特許文献３がある。この接着テープ寸法切り装置はテープカッターの切刃取付部に着脱可能に設置される本体部と前期本体部にスライド可能に保持される目盛り付きスケールを備えるセロファンテープを所望の長さにカット可能な接着テープ寸法きり装置である。目盛り付きスケールをテープカッターの切刃取付部に着脱可能に設置できることを特徴とするので、切刃取付部の大小により取り付けたときに安定しない場合が生じ、幼稚園児、保育園児、低学年の児童が作業した場合粘着テープを任意の寸法に容易に引き出すことが出来にくく、更に前期本体部にスライド可能に保持される目盛り付きスケールが本体部より外側に出ているため幼稚園児、保育園児、低学年の児童が作業時に本体又はスケールに手が触れた場合本体は固定していないため簡単に装置にずれが生じる。更に、本体とテープカッターの固定が不完全なため外れやすく、幼稚園、保育園、学校等年齢が低い幼児、児童達の作業場では紛失しやすい。それが解決に至っていないのが現状である。【００１１】  従来は、粘着テープカッターから感に頼りセロファンテープや粘着テープを引き出しており、目的物に貼った場合には長すぎるとはみ出し、短すぎると継ぎ足すことになり不用となる点があった。不用となったセロファンテープはテープカッターに貼り付けられたままになり、作業机などに貼り付け、貼り付けた部分を汚す場合がある。それが解決に至っていないのが現状である。【００１２】  従来は、粘着テープ長さ調整具とカバーを一体にさせたものがなく、テープを正確に切断できるが市販されている一般的なテープカッターに装着でき且つ、汚れが防止でき且つ、携帯に優れ且つ着脱でき且つ固定でき恒に装着状態であっても邪魔にならないものがないのが現状である。【００１３】  この発明は、上記のような実情に鑑みて、テープカッターに定規付きカッター取り付け具を装着して使用することで定規に沿って粘着テープが必要な長さに確実に引き出すことが容易となり且つ、市販されている一般的なテープカッターに装着でき且つ、軽量で携帯に優れ且つ着脱でき且つ��定でき恒に装着状態であっても邪魔にならない安価なテープカッターへの定規取り付け具である。
【課題を解決するための手段】
【００１４】  後記する各実施形態の図面に示すように、本発明のテープカッターへの定規取り付け具は、左カバー（１）の内部に挿入されている内カバー（２）の上部にスライド型定規（４）を取り付け定規を切断するテープの長さ分だけ定規引出し口（５）から引き出すものと、左カバー（１）および右カバー（３）の外面には測ったときに切り間違えたテープや切り取りに失敗したテープを廃棄するまで一時的に留めておく面ファスナー（９）が取り付けてある。左カバー（１）および右カバー（３）の内面には滑り止め（１０）が取り付けてあるものとを面ファスナー紐（１３）で連結させる。左カバー（１）と右カバー（３）を連結する面ファスナー紐（１３）は、両端に面ファスナー紐より幅広の面ファスナー（１６）を縫い付け左カバー（１）と右カバー（３）が外れずに連結できる構造をとり、面ファスナー紐（１３）を長短することにより市販されている一般的なテープカッター（幅１２ｃｍ以下底面長２２ｃｍ以下高さ１２ｃｍ以下）に装着可能なカバーにしたことを特徴としている。【００１５】  そして、この発明のテープカッターへの定規取り付け具は左カバー（１）および右カバー（３）を、図２、図５、図６  に示すように、面ファスナー紐（１３）で連結させて任意に装着可能とした構成とした。【００１６】  テープカッターへの定規取り付け具は図１〜８  に示すように、左カバー（１）および右カバー（３）の外面には測ったときに切り間違えたテープや切り取りに失敗したテープを廃棄するまで一時的に留めておく面ファスナー（９）が取り付けてある。左カバー（１）および右カバー（３）の内面には滑り止め（１０）が取り付けてある。左カバー（１）は内カバー（２）をスライドさせて高さを変更する。左カバー（１）と右カバー（３）には高さと幅を変更する同じ寸法の前穴（１１）と後ろ穴（１２）を空ける。内カバー（２）に幅を変更する面ファスナー紐（１３）の幅と同じ寸法の前穴（１４）と後ろ穴（１５）を空ける構造をしている。【００１７】  内カバー（２）には図８に示すように、市販されている一般的なテープカッターの幅に合わせる面ファスナー紐（１３）の幅と同じ寸法の前穴（１４）と後ろ穴（１５）を空ける構造をしている。【００１８】  左カバー（１）と右カバー（３）を連結する面ファスナー紐（１３）は、両端に面ファスナー紐より幅広の面ファスナー（１６）を縫い付け左カバー（１）と右カバー（３）が外れずに連結し市販されている一般的なテープカッターの幅に合わせることができる構造をしている。【００１９】  スライド型定規（４）は図７、図８に示すように、定規（４）の印刷された目盛りは先端から１ｃｍ程度空けて振り指でつまめるようにしておく。使用する市販されている一般的なテープカッターを左カバー（１）と右カバー（３）で挟む。テープカッターに取り付けられているセロファンテープを定規（４）の目盛りの先端まで引き出しテープを切断する。定規のカバー（６）には内側目盛り（７）と外側目盛り（８）が付いている。内側目盛りは定規（４）を引き出した分だけ長さが分かる。外側目盛りは定規（４）の倍の長さまで物品を測れる。テープ切断且つ物品測定終了後定規（４）は定規のカバー（６）に収納��る構造をしている。
【発明の効果】
【００２０】  本発明のテープカッターへの定規取り付け具は、粘着テープカッターに支持された粘着テープを感に頼らずとも任意の寸法に簡単に引き出すことが出来る。またスライド定規は定規のカバーとあわせて使用し内側目盛りは定規を引き出した分だけ長さが分かり、外側目盛りは定規の倍の長さまで物品を測ることが出来る。テープカッターカバーの左側面と右側面は面ファスナー紐（１３）で連結させており市販されている一般的なテープカッター（幅１２ｃｍ以下底面長２２ｃｍ以下高さ１２ｃｍ以下）に装着出来る。また軽量且つ携帯に優れ且つ固定でき恒に装着状態であっても邪魔にならず、安価に供給することが出来る。
【図面の簡単な説明】
【００２１】
【図１】  本発明の一実施形態のテープカッターへの定規取り付け具の斜視図である。
【図２】  図１に示したテープカッターへの定規取り付け具と面ファスナー紐（１３）の使用状態を示す説明図である。
【図３】  本発明に係るテープカッターへの定規取り付け具の左カバー（１）と滑り止め（１０）と内部に挿入されている内カバー（２）と上部に取り付けてあるスライド型定規（４）と定規カバー（６）の左カバー（１）内側から見た最低長の場合の斜視図である。
【図４】  本発明に係るテープカッターへの定規取り付け具の左カバー（１）と測ったときに切り間違えたテープや切り取りに失敗したテープを廃棄するまで一時的に留めておく面ファスナー（９）と内部に挿入されている内カバー（２）と上部に取り付けてあるスライド型定規（４）と定規カバー（６）の左カバー（１）外側側から見た最低長の場合の斜視図である。
【図５】  本発明に係るテープカッターへの定規取り付け具の左カバー（１）と滑り止め（１０）と内部に挿入されている内カバー（２）と上部に取り付けてあるスライド型定規（４）と定規カバー（６）の左カバー（１）内側から見た最高長の場合の斜視図と右カバー（３）と測ったときに切り間違えたテープや切り取りに失敗したテープを廃棄するまで一時的に留めておく面ファスナー（９）の外側から見た説明図である。
【図６】  本発明に係るテープカッターへの定規取り付け具の左カバー（１）と測ったときに切り間違えたテープや切り取りに失敗したテープを廃棄するまで一時的に留めておく面ファスナー（９）と内部に挿入されている内カバー（２）と上部に取り付けてあるスライド型定規（４）と定規カバー（６）の左カバー（１）外側から見た最高長の場合の斜視図と右カバー（３）と滑り止め（１０）の内側から見た説明図である。
【図７】  スライド型定規（４）と定規引出し口（５）と定規のカバー（６）とカバーの内側目盛り（７）とカバーの外側目盛り（８）の斜視図である。
【図８】  内カバー（２）の斜視図である。
【発明を実施するための形態】
【００２２】  以下、添付図面に基づいて本発明に係るテープカッターへの定規取り付け具の実施形態を詳細に説明する。
【００２３】  図１および図２は本発明のテープカッターへの定規取り付け具の一実施形態を示し、図１はテープカッターへの定規取り付け具の一実施形態を示す斜視図、図２はその使用状態を示す説明図である。
【００２４】  本実施形態によれば、図１、図２に示すように、テープカッターへの定規取り付け具の左カバー（１）と内部に挿入されている内カバー（２）と上部に取り付けてあるスライド型定規（４）と定規カバー（６）と右カバー（３）は全てＰＥＴ樹脂、再生ＰＥＴ樹脂で成型できる。
【００２５】  図５，図６は本発明に係るテープカッターへの定規取り付け具の左カバー（１）と内部に挿入されている内カバー（２）と上部に取り付けてあるスライド型定規（４）と定規カ）バー（６）の斜視図、図３，図４は左カバー（１）の斜視図、図５、図６は左カバー（１）と右カバー（３）の斜視図、図７はスライド型定規（４）と定規カバー（６）の斜視図、図８は内カバー（２）の斜視図である。
【００２６】  左カバー（１）および右カバー（３）の外面に取り付けてある測ったときに切り間違えたテープや切り取りに失敗したテープを廃棄するまで一時的に留めておく面ファスナー（９）はスチレンブタジエンゴムおよび有機溶剤およびシクロヘキサンおよびアセトンを含有する溶剤形接着剤などを塗布して形成することが望ましい。
【００２７】  左カバー（１）および右カバー（３）の内面に取り付けてある滑り止め（１０）は厚さ１〜２ｍｍ程度のゴム、エチレンプロピレンゴム、合成樹脂、人工皮革、布、不織布、紙などのなかで摩擦係数が大きく滑ることを抑える材質で両面テープやスチレンブタジエンゴムおよび有機溶剤およびシクロヘキサンおよびアセトンを含有する溶剤形接着剤などを塗布して形成することが望ましい。
【００２８】  左カバー（１）および右カバー（３）の内面に取り付けてある滑り止め（１０）により本体カバーは動きが拘束されて定位置に留まり、体や手、物などの接触などや少々の振動などでは動くことはなく、また粘着テープを引き出す際に引き出す引っ張り力でテープカッターを定位置からずらしてしまうことなどがないので粘着テープを確実に必要寸法に引き出すことが出来る。
【００２９】  左カバー（１）と右カバー（３）には高さと幅を変更する同じ寸法の前穴（１１）と後ろ穴（１２）を空ける。内カバー（２）に市販されている一般的なテープカッターの幅に合わせる面ファスナー紐（１３）の幅と同じ寸法の前穴（１４）と後ろ穴（１５）を空ける。左カバー（１）は内カバー（２）をスライドさせて高さを変更することが出来、市販されている一般的なテープカッターの高さに合わせることが出来る。
【００３０】  左カバー（１）と右カバー（３）を連結する面ファスナー紐（１３）は、両端に面ファスナー紐より幅広のマジックテープを縫い付け左カバー（１）と右カバー（３）が外れずに連結できる構造をしており、面ファスナー紐（１３）を長短することにより市販されている一般的なテープカッターの幅に合わせることが出来る。
【００３１】  スライド型定規（４）の印刷された目盛りは先端から１ｃｍ程度空けて振り指でつまめるようにしておく。テープカッターに取り付けられているセロファンテープを定規（４）の目盛りの先端まで引き出しテープを切断する。定規のカバー（６）には内側目盛り（７）と外側目盛り（８）が付いている。内側目盛りは定規（４）を引き出した分だけ長さが分かる。外側目盛りは定規（４）の倍の長さまで物品を測れる。テープ切断且つ物品測定終了後定規（４）は定規のカバー（６）に収納する。スライド型定規（４）および定規のカバー（６）は全てＰＥＴ樹脂、再生ＰＥＴ樹脂で成型できる。
【００３２】  最長にスライド型定規（４）を伸ばしたときスライド型定規（４）が定規のカバー（６）から抜け落ちぬように、スライド型定規（４）の最終端をＴ字形形状（１７）に加工する。定規のカバー（６）の最先端にはスライド型定規（４）のＴ字形形状（１７）の最終端が来ると抜け落ちぬように、Ｔ字形形状（１７）の両端の内側にそれぞれ各一本ずつのストッパー（１８）を配置する。スライド型定規（４）のＴ字形形状（１７）およびストッパー（１８）はＰＥＴ樹脂、再生ＰＥＴ樹脂で成型できる。
以上のような構成にすると製作コストも抑え、市販されている一般的なテープカッターに対応することが出来る。
【００３３】  以上のように構成した本発明のテープカッターへの定規取り付け具を使用するには、次のように行う。
【００３４】  先ず、使用する市販されている一般的なテープカッターを左カバー（１）と右カバー（３）で挟む。左カバー（１）の内部に挿入されている内カバー（２）の上部に取り付けられているスライド型定規（４）を切断するテープの長さ分だけ定規引出し口（５）から引き出す。テープカッターに取り付けられているセロファンテープを定規（４）の目盛りの先端まで引き出しテープを切断する。定規のカバー（６）には内側目盛り（７）と外側目盛り（８）が付いている。内側目盛りは定規（４）を引き出した分だけ長さが分かる。外側目盛りは定規（４）の倍の長さまで物品を測れる。テープ切断且つ物品測定終了後定規（４）は定規のカバー（６）に収納する。左カバー（１）および右カバー（３）の外面には測ったときに切り間違えたテープや切り取りに失敗したテープは面ファスナー（９）に廃棄するまで一時的に留めておく。
【００３５】  本発明は図示した実施形態に限定されるものではなく、本発明の要旨を踏襲する限り、本発明の明細書及び図面に記載された内容から推量できるもの、或いは同じ機能を有する他の手段に置き換えたものも本発明に含まれるものである。
【符号の説明】
【００３６】１  左カバー
２  内カバー
３  右カバー
４  スライド型定規
５  定規引出し口
６  定規のカバー
７  内側目盛り
８  外側目盛り
９  測ったときに切り間違えたテープや切り取りに失敗したテープを廃棄するまで一時的に留めておく面ファスナー
１０  滑り止め
１１  高さと幅を変更する同じ寸法の前穴
１２  高さと幅を変更する同じ寸法の後ろ穴
１３  面ファスナー紐
１４  面ファスナー紐（１３）の幅と同じ寸法の前穴
１５  面ファスナー紐（１３）の幅と同じ寸法の後ろ穴
１６  面ファスナー紐（１３）より幅広の面ファスナー
１７  Ｔ字形形状
１８  ストッパー
【図１】
2014114160.tif 000003
【図２】
2014114160.tif 000004
【図３】
2014114160.tif 000005
【図４】
2014114160.tif 000006
【図５】
2014114160.tif 000007
【図６】
2014114160.tif 000008
【図７】
2014114160.tif 000009
【図８】
2014114160.tif 000010